(57)【要約】【課題】排出部を容易に開閉できることで再使用することができ、ならびに、その排出部を強固に閉じることができ、且つ排出量を調整することができる泥土の脱水用袋体を提供する。【解決手段】透水性を有する布帛からなり、泥土を内部に注入するための注入口２ａを有し、外部に開口する第１開口部Ａを一端に形成した外袋２と、第１開口部Ａの全周にわたって設置し、緩めたり締めたりすることにより第１開口部Ａを開閉するための複数の線状体３とを備える脱水用袋体１であって、この脱水用袋体１は、第１開口部Ａを複数に分割した分割開口部Ａ１、Ａ２を有している。【選択図】図１
2008080186.tif 000002
【特許請求の範囲】
【請求項１】
高含水率の泥土を注入して袋詰め脱水を行うための脱水用袋体であって、
透水性を有する布帛からなり、前記泥土を内部に注入するための注入口を有し、外部に開口する第１開口部を一端に形成した外袋と、
前記第１開口部の全周にわたって設置され、緩められたり締められたりすることにより前記第１開口部を開閉するための複数の線状体とを備え、
前記第１開口部を複数に分割した分割開口部を、複数の前記線状体により、それぞれ開閉することを特徴とする、脱水用袋体。
【請求項２】
前記線状体は、帯状の布帛で形成されていることを特徴とする、請求項１に記載の脱水用袋体。
【請求項３】
透水性を有する布帛からなり、前記外袋の内側に設置され、一端に形成され外部に開口する第２開口部を開閉できる内袋をさらに備え、
前記内袋は、前記泥土が当該内袋の内部を経由して前記外袋の外部に排出されるように、他端が前記外袋の内側全周に縫着されていることを特徴とする、請求項１又は請求項２に記載の脱水用袋体。
【請求項４】
前記内袋は、面ファスナーにより前記第２開口部が開閉されることを特徴とする、請求項１乃至請求項３のいずれか１項に記載の脱水用袋体。
【請求項５】
前記線状体の緩みを防止するための留め具をさらに備えていることを特徴とする、請求項１乃至請求項４のいずれか１項に記載の脱水用袋体。
【請求項６】
前記外袋の内部空間を横切るように前記外袋の内側に設置され、且つ、前記外袋の内側に開口する筒状排水袋体と、
前記注入口と前記筒状排水袋体とを連通させる連通袋体と、
をさらに備えていることを特徴とする、請求項１乃至請求項５のいずれか１項に記載の脱水用袋体。
【発明の詳細な説明】
【技術分野】
【０００１】
本発明は、高含水率の泥土を注入して袋詰め脱水を行うための脱水用袋体に関する。
【背景技術】
【０００２】
従来、河川、湖沼、海洋などで浚渫された高含水率の泥土の脱水処理としては、布帛等からなり透水性を有する袋体に、高含水率の泥土をポンプ等により圧送して充填してから、袋体を一定期間放置する、いわゆる、袋詰め脱水処理が知られている（例えば、特許文献１参照）。この特許文献１に記載の袋詰め脱水処理において使用される袋体は、透水性を有する細長い袋体である。ところで、特許文献１には、この袋体に係るその他の特徴についての記載は特に見当たらない。また、このような袋詰め脱水処理用の袋体を１回限りの使用で処分するのではなく、繰り返し再使用することができれば、非常に経済的である。
【０００３】
一方、従来、ペレット状の樹脂製品、けい砂、又はセメントなどの粒状又は粉状の製品又は原料の搬送などに使用されるフレキシブルコンテナバッグの底面に設けられた、いわゆる巾着の口状をした排出部の構造が知られている（例えば、特許文献２、３参照）。この特許文献２に記載のフレキシブルコンテナバッグは、内袋と外袋との二重構造からなるフレキシブルコンテナバッグであって、その排出部は、内袋の排出筒の下端を上方外側に折り返して、外袋の排出筒側面に固着して形成され、ロープにより排出口を緩めたり締めたりする構造となっている。内容物の排出は、この締めたロープを緩めることにより排出できるようにしたものである。また、特許文献３に記載のフレキシブルコンテナバッグも同様に、底面に設けられた排出部は、ロープにより排出口を緩めたり締めたりする構造となっている。
【０００４】
また、フレキシブルコンテナバッグの底面に設けられた排出部を容易に開閉できるように簡単に縫着して閉じた構造としたフレキシブルコンテナバッグの排出部の構造も知られている（例えば、特許文献４参照）。このフレキシブルコンテナバッグは、底面全面が開口したフレキシブルコンテナバッグ胴部の底面に２枚の織布を縫着し、この２枚の織布を互いに単環縫、二重環縫などのような手段で簡単に縫着し、内容物の排出は、この２枚の織布間の縫着を離開して、この２枚の織布間から排出できるようにしたものである。
【０００５】
【特許文献１】特許第２５３５３０２号公報
【特許文献２】特開２００５−２２７３６号公報
【特許文献３】特開２００３−２８５８９８号公報
【特許文献４】特開１９９５−３１５４８１号公報
【発明の開示】
【発明が解決しようとする課題】
【０００６】
しかしながら、特許文献２及び特許文献３に記載されたフレキシブルコンテナバッグの排出部は、ロープを緩めたり締めたりすることで容易に開閉することができるが、全開又は全閉のいずれかしか選択できず、排出量の調整をすることはほとんどできない。また、フレキシブルコンテナバッグに詰める内容物の量が多かったり、内容部の比重が大であったりして、内容物の重量が重い場合には、内容物の自重、又は搬送時の振動等で締め付けられたロープが緩み、内容物が漏出してしまう場合がある。
【０００７】
また、特許文献４に記載されたフレキシブルコンテナバッグの排出部は、簡易に縫着さされているため比較的容易にその縫着を離開して、排出部を開にすることができるが、このフレキシブルコンテナバッグを再使用しようとする場合には、再度、排出部を縫着する必要があり、フレキシブルコンテナバッグの使用者にとっては容易なことではない。また、容易に離開可能な排出部の縫着では、フレキシブルコンテナバッグに詰める内容物の量が多かったり、内容部の比重が大であったりして、内容物の重量が重い場合には、内容物の自重、又は搬送時の振動等で排出部の縫着が離開し、内容物が漏出してしまう場合がある。
【０００８】
本発明は、上記実情に鑑みてなされたものであり、その目的は、排出部を容易に開閉できることで再使用することができ、ならびに、その排出部を強固に閉じることができ、且つ排出量を調整することができる脱水用袋体を提供することにある。
【課題を解決するための手段及び効果】
【０００９】
本発明に係る脱水用袋体は、高含水率の泥土を注入して袋詰め脱水を行うための脱水用袋体に関する。そして、本発明に係る脱水用袋体は、上記目的を達成するために以下のようないくつかの特徴を有している。すなわち、本発明の脱水用袋体は、以下の特徴を単独で、若しくは、適宜組み合わせて備えている。
【００１０】
上記目的を達成するための本発明に係る脱水用袋体における第１の特徴は、透水性を有する布帛からなり、前記泥土を内部に注入するための注入口を有し、外部に開口する第１開口部を一端に形成した外袋と、前記第１開口部の全周にわたって設置され、緩められたり締められたりすることにより前記第１開口部を開閉するための複数の線状体とを備え、前記第１開口部を複数に分割した分割開口部を、複数の前記線状体により、それぞれ開閉することである。
【００１１】
この構成によると、上記第１開口部は、いわゆる巾着の口状になり、線状体を緩めたり締めたりすることにより第１開口部を開閉できることで、外部に開口する第１開口部を容易に開閉することができ、脱水用袋体を再使用することが可能となる。
【００１２】
また、第１開口部に形成されるそれぞれの分割開口部の大きさは、開口が１つの場合より分割された分だけ小さくなり、その分割開口部が複数の線状体によって別々に締め付けて閉じられる。よって、大きな１つの開口を１本の線状体で締め付けるよりも、全体として強固に締め付けることが可能となる。また、例えば、第１開口部が底部となる状態で脱水用袋体を吊り下げた場合、複数の分割開口部を複数の線状体で締め付けて閉じられた底部で泥土の重量を支持するのと、１つの開口部を１本の線状体で締め付けて閉じられた底部で泥土の重量を支持するのとでは、複数の分割開口部を有する底部で泥土の重量を支持するほうが泥土の重量が分散し、線状体１本当たりの受け持つ重量は小さくなる。従って、外部に開口する第１開口部をより強固に閉じることが可能となる。
【００１３】
尚、第１開口部を分割せずに１つの開口のままとし、その１つの開口を複数の線状体で締め付けて、線状体１本当たりの負担重量を低減する手段も考えられる。しかし、この場合には、全ての線状体がそれぞれ泥土の重量を負担支持するように、線状体を全てほぼ均等に締め付けることが必要となるが、これは容易でなく、結局、いずれかの線状体が主に泥土の重量を負担支持することになってしまうという問題がある。
【００１４】
また、複数の分割開口部の開口数を適宜調整することにより、処理土の排出量を調整することができる。
【００１５】
また、本発明に係る脱水用袋体における第２の特徴は、前記線状体は、帯状の布帛で形成されていることである。
【００１６】
この構成によると、面接触で第１開口部を締め付けることができるため、より強固に第１開口部を締め付け、閉じることが可能となる。
【００１７】
また、本発明に係る脱水用袋体における第３の特徴は、透水性を有する布帛からなり、前記外袋の内側に設置され、一端に形成され外部に開口する第２開口部を開閉できる内袋をさらに備え、前記内袋は、前記泥土が当該内袋の内部を経由して前記外袋の外部に排出されるように、他端が前記外袋の内側全周に縫着されていることである。
【００１８】
この構成によると、脱水用袋体は、外袋と内袋とを有する二重構造になる。二重構造とすることで、脱水用袋体の強度が全体的に向上する。また、処理土は、内袋に形成された第２開口部と、外袋に形成された第１開口部とをいずれも通過しないと外部に排出されないので、処理土の漏れをより防止することが可能となる。よって、より確実に脱水用袋体の開口部を閉じることができる。
【００１９】
また、内袋の他端が外袋の内側全周に縫着されていることにより、内袋はその他端を基準に外袋の内部で固定され、例えば、折りたたまれて保管されていた脱水用袋体を広げると、ほぼ確実に内部の内袋も広がる。よって、泥土の注入を効率よく行うことができる。
【００２０】
また、本発明に係る脱水用袋体における第４の特徴は、前記内袋は、面ファスナーにより前記第２開口部が開閉されることである。
【００２１】
この構成によると、容易に内袋の第２開口部の開閉操作を行うことができる。また、振動等による緩みの発生も生じにくいので、より強固に第２開口部を締め付け、閉じることが可能となる。
【００２２】
また、本発明に係る脱水用袋体における第５の特徴は、前記線状体の緩みを防止するための留め具をさらに備えていることである。
【００２３】
この構成によると、線状体の振動等による緩みを防止することができ、より強固に第１開口部を締め付け、閉じることが可能となる。
【００２４】
また、本発明に係る脱水用袋体における第６の特徴は、前記外袋の内部空間を横切るように前記外袋の内側に設置され、且つ、前記外袋の内側に開口する筒状排水袋体と、前記注入口と前記筒状排水袋体とを連通させる連通袋体と、をさらに備えていることである。
【００２５】
本発明に係る脱水用袋体は、袋体内に高含水率の泥土が注入された後、泥土が十分に脱水されるまで一定期間放置される。この構成によると、袋体内に泥土が注入された状態で、その中心付近の泥土から水分が筒状排水袋体を伝って袋体の表面へ移動し、外部へ排出されるため、脱水時間が短縮される。
【００２６】
また、注入口から注入された泥土は、連通袋体及び筒状排水袋体を経由して、筒状排水袋体の開口部から袋体内に注入される。そのため、袋体内に泥土が注入されていくにつれ、筒状排水袋体の内部にも泥土が注入されて膨張することになり、筒状排水袋体がその外側の泥土により押し潰されることなく袋体内で筒状に保持される。よって、袋体内の泥土に含まれる水分は筒状排水袋体を伝って効率よく外袋の表面まで移動するため、脱水時間がさらに短縮される。
【００２７】
また、注入された泥土は外袋若しくは内袋の内面に直接注入されず、連通袋体の内部及び筒状排水袋体の内部を経由して外袋若しくは内袋の中に注入される。このため、注入された泥土の流れに乱れが発生しにくく、外袋若しくは内袋の内面に形成された泥膜が破壊されにくいので、袋詰め脱水においてしばしば見られる注入開始直後の排出水の濁り（初期濁り）を効果的に抑えることができる。また、注入された泥土は、筒状排水袋体の中を通過する間に濾過されるので、これによっても濁りが除去される。
【発明を実施するための最良の形態】
【００２８】
以下、本発明を実施するための形態について図面を参照しつつ説明する。
【００２９】
（第１実施形態）
図１は、本発明に係る脱水用袋体の第１実施形態を示す斜視図である。図２は、図１に示す脱水用袋体の開口部を閉にした状態でのＸ−Ｘ断面模式図である。また、図３は、図１に示す脱水用袋体の開口部を開にした状態でのＸ−Ｘ断面模式図である。
【００３０】
図１乃至図３に示すように、本第１実施形態の脱水用袋体１は、泥土を内部に注入するための注入口２ａを有し、外部に開口する第１開口部Ａを一端に形成した外袋２と、第１開口部Ａの全周にわたって設置し、緩めたり締めたりすることにより第１開口部Ａを開閉するための線状体３とを備えている。このように第１開口部Ａを、いわゆる巾着の口状に形成している。これにより容易に第１開口部Ａを開閉でき、脱水用袋体１を再使用することが可能となる。これは、他の実施形態においても同様である。
【００３１】
外袋２は、透水性を有する筒状の布帛からなり、例えば、ポリエステル繊維の経糸（１１００Ｔ／２）、緯糸（１１００Ｔ／４）で織成される。また、この筒状の布帛は、経糸に対してスパイラル状に連続して織り込まれた緯糸とからなる、継ぎ目のない筒状の布帛である。このため、外袋２は高い破断応力を有しており、外袋２の中にポンプ等の注入手段により泥土を加圧注入して膨張させても容易に破断しない。また、この外袋２は、内部に泥土が注入されたときに、外袋２の径方向に膨張し、これによって、外袋２の筒長方向には収縮する。
【００３２】
また、外袋２の一方の端部は折り曲げられた状態で縫着されており、この端部には棒状の吊り具４０が挿入される筒状の吊り部２ｂが形成されている。例えば、クレーン等により、この吊り具４０を介して本第１実施形態の脱水用袋体１を吊り下げ、そして移動させることができる。ここで、脱水用袋体１の安定した吊り下げを考慮すると、脱水用袋体１は、筒長方向に長い形状に形成されることが好ましい。しかし、必ずしも筒長方向に長い形状に形成される必要はない。脱水用袋体１が、筒長方向に長い形状に形成されることが好ましいことは、他の実施形態においても同様である。
【００３３】
線状体３は、ロープ、鎖等を使用することもできるが、帯状の布帛で形成されていることが好ましい。帯状の布帛で形成された線状体３を用いることで、面接触で第１開口部Ａを締め付けることができる。よって、より強固に第１開口部Ａを締め付け、閉じることができる。これは、他の実施形態においても同様である。
【００３４】
また、図１に示すように、本第１実施形態の脱水用袋体１は、第１開口部Ａを２つに分割した分割開口部Ａ１と分割開口部Ａ２とを有し、それぞれ線状体３により開閉される。これにより、第１開口部Ａに形成される分割開口部Ａ１、Ａ２の大きさは、開口が１つの場合より２つに分割された分だけ小さくなり、それぞれ線状体３によって別々に締め付けて閉じられる。よって、大きな１つの開口を１本の線状体で締め付けるよりも、全体として強固に締め付けることが可能となる。また、例えば、第１開口部Ａが底部となる状態で脱水用袋体１を吊り下げた場合、２つの分割開口部をＡ１、Ａ２をそれぞれ線状体３で締め付けて閉じられた底部で泥土の重量を支持するのと、１つの開口部を１本の線状体で締め付けて閉じられた底部で泥土の重量を支持するのとでは、分割開口部Ａ１、Ａ２を有する底部で泥土の重量を支持するほうが、泥土の重量が分散し、線状体３の１本当たりの受け持つ重量は小さくなる。従って、外部に開口する第１開口部Ａをより強固に閉じることが可能となる。また、分割開口部Ａ１、Ａ２の開口数を適宜調整することにより、処理土の排出量を調整することもできる。
【００３５】
尚、第１開口部Ａは、このように２分割されていることにこだわらず、３分割、４分割等されていても良い。このように、第１開口部Ａを２つ以上の複数の分割開口部にすることは、他の実施形態でも同様である。
【００３６】
また、図２及び図３に示すように、脱水用袋体１における外袋２の内側には、外部に開口する第２開口部Ｂを有する内袋４が設けられている。この内袋４は、泥土が内袋４の内部を経由して外袋２の外部に排出されるように、端部が外袋２の内側全周に縫着されている。
【００３７】
内袋４は、外袋２と同様、透水性を有する筒状の布帛からなり、例えば、ポリエステル繊維の経糸（１１００Ｔ／２）、緯糸（１１００Ｔ／４）で織成される。また、この筒状の布帛は、経糸に対してスパイラル状に連続して織り込まれた緯糸とからなる、継ぎ目のない筒状の布帛である。このため、内袋４は高い破断応力を有しており、内袋４の中にポンプ等の注入手段により泥土を加圧注入して膨張させても容易に破断しない。脱水用袋体１を外袋２と内袋４との二重構造にすることで、脱水用袋体１の強度は全体的に向上する。
【００３８】
内袋４は、縫着により一端が内袋４の内側に固定され、内袋４の第２開口部Ｂは、面ファスナー５ａを取り付けた面ファスナー付ベルト５により開閉される。これにより、容易に内袋４の第２開口部Ｂの開閉操作を行うことができる。尚、第２開口部Ｂの開閉手段は、これに限られることはなく、例えば、単に帯状の布帛を用いても良いし、ロープ、鎖等を用いても良い。
【００３９】
また、図２に示すように、内袋４は、第２開口部Ｂ側を丸めて外袋２の内側に配置されている。このように配置することで、閉じられた内袋４の第２開口部Ｂからの泥土の漏れをより防ぐことができる。
【００４０】
高含水率の泥土は、ポンプ等の注入手段により脱水用袋体１に設けられた注入口２ａから脱水用袋体１内に注入される。次に、泥土が注入された脱水用袋体１を適宜、適切な場所に移動させ一定期間放置すること等により、泥土中の水分は、透水性を有する外袋２や内袋４を伝って脱水用袋体１の表面から外部に排出される。処理された処理土は、必要に応じ内袋４の第２開口部Ｂ及び外袋２の第１開口部Ａを経由して、外部に排出される。処理土が排出された脱水用袋体１は、再度、泥土の袋詰め脱水に使用することが可能である。
【００４１】
図４は、線状体３の留め具を示す図である。図４に示すように、留め具８を取り付けた線状体３を使用して、外袋２の第１開口部Ａを締め付けることにより、非常に強固に緩み止め防止を行うことができる。また、より強く第１開口部Ａを締め付け、閉じることもできる。尚、留め具８は、この形状に限られるものではない。また、この留め具８は、内袋４の第２開口部Ｂを開閉する面ファスナー付ベルト５の面ファスナー５ａの代わりに用いることも可能である。また、この留め具８は、第１実施形態だけでなく、他の実施形態においても使用できるものである。
【００４２】
（第２実施形態）
図５は、本発明に係る脱水用袋体の第２実施形態を示す断面模式図である。図６は、図５の第２実施形態に係る脱水用袋体に泥土を注入している途中の状態を示す図である。また、図７は、図５の第２実施形態に係る脱水用袋体への泥土の注入が完了した状態を示す図である。
【００４３】
図５乃至図７に示すように、本第２実施形態の脱水用袋体１０は、泥土を内部に注入するための注入口１２ａを有し、外部に開口する第１開口部Ａを一端に形成した外袋１２と、第１開口部Ａの全周にわたって設置し、緩めたり締めたりすることにより第１開口部Ａを開閉するための線状体３とを備えている。このように第１開口部Ａを、いわゆる巾着の口状に形成している。これにより容易に第１開口部Ａを開閉でき、脱水用袋体１０を再使用することが可能となる。
【００４４】
また、本第２実施形態の脱水用袋体１０は、外袋１２の内部空間を横切るように外袋１２の内側に設置され、且つ、外袋１２の内側に開口する筒状排水袋体６と、注入口１２ａと筒状排水袋体６とを連通させる連通袋体７とをさらに備えている。
【００４５】
外袋１２は、第１実施形態の外袋２と同様、透水性を有する筒状の布帛からなる。また、筒状排水袋体６は、透水性を有する筒状の布帛からなり、図５に示すように、膨張状態の外袋１２内において、その内部空間の中心付近を通って外袋１２の長手方向に配置されている。筒状排水袋体６の一端部には、連通袋体７の端部が挿入されるスリット状の開口６ａが形成されている。一方、筒状排水袋体６の他端部には、外袋１２内へ開口するスリット状の開口６ｂが形成されている。ここで、開口６ａ及び開口６ｂは、必ずしもスリット状である必要はなく、例えば、孔状であっても良い。
【００４６】
連通袋体７は、透水性を有する筒状の布帛からなる。そして、この連通袋体７は、一端部が泥土を内部に注入するための注入口１２ａを形成し、外袋１２に縫着されている。また、連通袋体７の他端部は、筒状排水袋体６の開口６ａから筒状排水袋体６の端部の内側に挿入されている。さらに、筒状排水袋体６の内側に入り込んだ連通袋体７の端部にはスリット状の開口７ａが形成されており、この開口７ａを介して連通袋体７と筒状排水袋体６とが連通している。また、この連通袋体７の他端部は、脱水用袋体１０を形成する外袋１２に閉塞された状態で縫着されている。そして、この連通袋体７を介して注入口１２ａと筒状排水袋体６とが連通した状態となっている。
【００４７】
次に、図６及び図７に基づいて、脱水用袋体１０を用いた高含水率の泥土３０の袋詰め脱水処理について説明する。まず、第１開口部Ａが確実に閉にされているか確認する。そして、注入口１２ａに注入ホース８１を挿入し、この注入ホース８１から脱水用袋体１０内に泥土３０を注入していく。このとき、注入ホース８１から注入された泥土３０は、連通袋体７を通って開口７ａから筒状排水袋体６内に流入する。さらに、この泥土３０は、筒状排水袋体６内を通って筒状排水袋体６の端部に形成された開口６ｂから外袋１２内へ流れ込み、外袋１２の内部に泥土３０が堆積していく。そして、泥土３０は外袋１２の下部から徐々に充填される。
【００４８】
このように、注入された泥土３０は外袋１２の内面に直接注入されず、連通袋体７の内部及び筒状排水袋体６の内部を経由して外袋１２の中に充填されていく。そのため、注入された泥土３０の流れに乱れが発生せず、外袋１２の内面に形成された泥膜が破壊されることがないので、特に注入初期において外袋１２から排出される水の濁り（初期濁り）を効果的に抑えることができる。よって、例えば、環境汚染物質を含有するような泥土の脱水にも有効である。
【００４９】
さらに、外袋１２内に泥土３０を注入していくと、図７に示すように、外袋１２の上部まで堆積してきた泥土３０が、注入口１２ａの折り返し部及び連通袋体７の一方側の空間に集中して充填される。すると、連通袋体７は、この泥土３０により圧迫されて外袋１２の内面に押しつけられ閉塞されていく。従って、泥土３０が外袋１２内に充填された後に、注入口１２ａの折り返し部から外部へ泥土３０が逆流しないようになる。
【００５０】
このようにして外袋１２内に泥土３０を充填した後に、その泥土３０を脱水するために、脱水用袋体１０を一定期間放置する。ここで、外袋１２内の泥土３０は、外袋１２の表面から離れた中心付近に位置している部分ほど、その水分が外袋１２の表面まで移動しにくく、外部へ排出されにくいため、脱水に時間がかかる。しかし、本第２実施形態に係る脱水用袋体１０においては、泥土３０が充填された膨張状態の外袋１２内に、その内部空間の中心付近を横切る筒状排水袋体６が外袋１２の長手方向に延びた状態で設置されている。そのため、外袋１２内の中心付近に位置する泥土３０の水分は筒状排水袋体６を伝って外袋１２の表面まで速やかに移動し、外部へ排出される。よって、脱水時間が短縮される。また、膨張した外袋１２内の泥土には高い注入圧力を作用させることができるため、脱水が促進される。
【００５１】
（第３実施形態）
図８は、本発明に係る脱水用袋体の第３実施形態を示す斜視図である。図９は、図８の脱水用袋体の設置状態を示す詳細断面模式図である。また、図１０は、図８の脱水用袋体の施工例を示す断面図である。
【００５２】
図８に示すように、本第３実施形態の脱水用袋体２０は、泥土を内部に注入するための注入口２２ａを有し、外部に開口する第１開口部Ａを一端に形成した外袋２２と、第１開口部Ａの全周にわたって設置し、緩めたり締めたりすることにより第１開口部Ａを開閉するための線状体３とを備えている。このように第１開口部Ａを、いわゆる巾着の口状に形成している。これにより容易に第１開口部Ａを開閉でき、脱水用袋体２０を再使用することが可能となる。
【００５３】
また、本第３実施形態の脱水用袋体２０は、脱水用袋体２０の外面に沿って、内部に植生材料を収容可能な開口部を有するポケット部２７をさらに備えている。このように、植生材料を収容可能なポケット部２７を有するようにすることで、脱水用袋体２０は、泥土脱水用だけでなく、植生基盤材の流出を抑制することが可能な植生用脱水袋体としても用いることができる。
【００５４】
外袋２２は、第１、第２実施形態の外袋と同様、透水性を有する筒状の布帛からなる。また、ポケット部２７は脱水用袋体２０の外面に沿って取り付けられたシート状部材２３により形成されており、開口部２３ｂからシート状部材２３と脱水用袋体２０の外側表面との間の収容空間に植生材料を収容可能である。ここで、植生材料とは、植物の種、苗木、地下茎等の生育して植生を形成する植物を含む材料をいい、当該植物と土、肥料等とを混合した材料や、小さな苗木と土を小袋に入れたもの等も含まれる。
【００５５】
また、脱水用袋体２０には、棒状の吊り具が挿通可能なリング状の吊り部２６が繊維性ベルト等によって形成されている。また、脱水用袋体２０は、シート状部材２３の外面を覆うように取り付けられたカバー部材２４をさらに備えている。尚、吊り部の形状は、こえに限られず、例えば、図１に示す第１実施形態の吊り部２ｂのような形状であっても良い。
【００５６】
図９に、河川護岸１００の傾斜面に沿って積み重ねて設置された状態の脱水用袋体２０の断面摸式図を示す。脱水用袋体２０は、脱水用袋体２０内に泥土３０を保持した状態で、ポケット部２７が形成されていない端部を河川護岸１００の傾斜面に沿わせて積み重ねられることにより、脱水用袋体２０の他端に設けられたシート状部材２３及びカバー部材２４を露出させた状態で設置される。ポケット部２７に収容された植生材料９１内に含まれる植物は、シート状部材２３及びカバー部材２４を貫通して生育し、脱水用袋体２０の露出した表面に植生を形成する。
【００５７】
図１０に、河川護岸１００に脱水用袋体２０を積み重ねて形成された法面全体の断面図を示す。脱水用袋体２０は、栗石及び砕石等の埋戻材１０２により固められた地盤上に積層されており、脱水用袋体２０と河川護岸１００との隙間は砂等の埋戻材１０３により充填されている。また、積層した脱水用袋体２０の最上端における外袋２２の露出部は土１０４によって覆われている。
【００５８】
以上、本発明の実施形態について説明したが、本発明は上述の実施の形態に限られるものではなく、特許請求の範囲に記載した限りにおいて様々に変更して実施することが可能なものである。
【図面の簡単な説明】
【００５９】
【図１】本発明に係る脱水用袋体の第１実施形態を示す斜視図である。
【図２】図１に示す脱水用袋体の開口部を閉にした状態でのＸ−Ｘ断面模式図である。
【図３】図１に示す脱水用袋体の開口部を開にした状態でのＸ−Ｘ断面模式図である。
【図４】留め具を示す図である。
【図５】本発明に係る脱水用袋体の第２実施形態を示す断面模式図である。
【図６】図５の脱水用袋体に泥土を注入している途中の状態を示す図である。
【図７】図５の脱水用袋体への泥土の注入が完了した状態を示す図である。
【図８】本発明に係る脱水用袋体の第３実施形態を示す斜視図である。
【図９】図８の脱水用袋体の設置状態を示す詳細断面模式図である。
【図１０】図８の脱水用袋体の施工例を示す断面図である。
【符号の説明】
【００６０】
１    脱水用袋体
２    外袋
３    線状体
４    内袋
６    留め具
１０  脱水用袋体
２０  脱水用袋体
Ａ    第１開口部
Ｂ    第２開口部
【図１】
2008080186.tif 000003
【図２】
2008080186.tif 000004
【図３】
2008080186.tif 000005
【図４】
2008080186.tif 000006
【図５】
2008080186.tif 000007
【図６】
2008080186.tif 000008
【図７】
2008080186.tif 000009
【図８】
2008080186.tif 000010
【図９】
2008080186.tif 000011
【図１０】
2008080186.tif 000012